(57)【要約】【課題】  略四角形のポケットの２辺に亘り開口部を設け、その開口部からポケットに被収容物を容易に収容することができるようにポケットを表紙に固着したファイルを提供する。【解決手段】  ポケット３０は四角形であり、ポケット３０が右側に位置する際のその四角形のそれぞれ上辺と右辺とに相当する箇所に開口部を形成し、左辺と下辺に相当する箇所が閉じられている。つまり、ポケット３０は、その周辺長さのおおむね半分の長さに亘ってファイルの外側に向けて開口していることになり、上辺などの一辺のみが開口した一般的なポケットであればそれに書類等の被収容物を挿入するにあたり被収容物の移動は開口部である上辺から下辺に向けた直線状のみしか許容されないのに対し、本発明のポケット３０では、被収容物５を収納するためのその移動は、上辺から下辺に向かう直線方向の移動から右辺から左辺に向かう直線方向の移動までの範囲で許容される。【選択図】図５
2015229310.tif 000002
【特許請求の範囲】
【請求項１】
表紙体とこれに取り付けられるポケット体とからなるファイルであって、
前記表紙体は、前記ポケット体を取り付けるための固着部を有し、
前記ポケット体は、
シート状に形成されたベースシートとポケットシートとを有し、
前記ベースシートは、前記固着部に固着される被固着部を有し、
前記ベースシートに対して前記ポケットシートが重合されてポケットが形成され、
当該ポケットは、それぞれ略四角形であり、当該略四角形において互いに一端部が接する第１辺と第２辺とに開口部が形成され、前記第１辺と対向する第３辺と前記第２辺と対向する第４辺とに閉部が形成され、
前記第４辺は前記被固着部の近傍に位置する、
ファイル。
【請求項２】
前記被固着部は、前記ベースシート部の第１方向の略中央に、当該１の方向と直交する第２方向に連続して設けられ、前記被固着部を前記第１方向に挟んで第１ポケットと第２ポケットとが併設された、
請求項１に記載のファイル。
【請求項３】
前記第４辺は、前記ベースシートに対して前記ポケットシートが重合されて両者が略線状に連続して接合されて形成されている、
請求項１または請求項２に記載のファイル。
【請求項４】
前記第２辺は、前記ベースシートの第１方向の端部よりも第１方向の略中央寄りに位置している、
請求項１または請求項２に記載のファイル。
【請求項５】
前記第２辺の一部において第１方向の略中央に向けて略半円状に切り欠かれている、
請求項１乃至請求項４のいずれかに記載のファイル。
【請求項６】
前記表紙体と前記ベースシートとはともに合成樹脂材料により形成され、前記固着部と前記被固着部とは溶着により固着されている、
請求項１乃至請求項５のいずれかに記載のファイル。
【発明の詳細な説明】
【技術分野】
【０００１】
本発明は、書類などの被収容物を収容するためのポケットを有し、当該ポケットが表紙に取り付けられたファイルであって、被収容物のポケットに対する出し入れを容易にしたファイルに関する。
【背景技術】
【０００２】
従来のポケットが表紙に固着されたファイルは、例えば特開平５−１７７９７０号や特開２００４−２１６５９５号に開示されるように、薄肉状に形成された合成樹脂製のシートにより一辺に開口部を有する四角形の袋体が形成され、当該袋体が合成樹脂製の表紙に対して熱溶着や超音波溶着により固着されている。
【先行技術文献】
【特許文献】
【０００３】
【特許文献１】特開平５−１７７９７０号公報
【特許文献２】特開２００４−２１６５９５号公報
【発明の概要】
【発明が解決しようとする課題】
【０００４】
このようなファイルのポケットは、四角形の一辺が開口部を形成し他辺が閉部を形成する袋体からなり、表紙と袋体とが当該袋体の開口部を形成する辺の略中央からその辺と直交する方向に連続して溶着されて、当該溶着された箇所を境界線として隣接する２のポケットが形成される。
【０００５】
特許文献１に記載の発明は、袋体の略全長に亘って溶着されて隣接する２のポケットの境界線が形成されており、このポケットに収納する書類などの被収容物の幅とポケットの幅（境界線とこれと対向する位置にある閉部との距離）とが近いと、開口部から収容物を入れしようとした場合、被収容物をポケットの底側端に向けて押し込むに際してその移動は開口部側端から底側端に向けた略直線方向にしか許容されないため、当該行為を実行しようとする者（利用者）に正確な動作が求められるという作業性が悪く、特に被収容物が紙片等のように柔らかいものであれば、正確に動作しないと被収容物が折れ曲がってしまうことがある。
【０００６】
この課題を解決すべく、特許文献２に記載の発明は、袋体を表紙に固着するにあたり開口部近傍を溶着しない、すなわち開口部近傍で隣接する２のポケットの間に閉じられない箇所を設けている。これにより、例えば第１のポケットの開口部の境界線近傍の箇所が第１のポケットと隣り合う第２のポケットの開口部を兼ねるようにできるため、開口部がポケットの幅よりもやや大きいものとして扱うことができることから、ポケットの幅に近い幅を有する被収容物をポケットの底側端に向けて押し込みを開始した直後の時点では、開口部側端から底側端に向けた略直線方向以外の方向への移動が幾らか許容されるため、特許文献１に記載の発明と比べると作業性がやや向上している。しかし、当該押し込みが開始直後を過ぎると、当該収納物の移動は開口部側端から底側端に向けた略直線方向にしか許容されないことになり、依然として作業性の悪さは残存する。
【０００７】
本発明は、ポケットが表紙に固着されたファイルにおいて、被収納物を収納するに際して利用者への負担を軽減することを目的とするものである。
【課題を解決するための手段】
【０００８】
本発明のファイルは、表紙体とこれに取り付けられるポケット体とからなるファイルであって、前記表紙体は、前記ポケット体を取り付けるための固着部を有し、前記ポケット体は、シート状に形成されたベースシートとポケットシートとを有し、前記ベースシートは、前記固着部に固着される被固着部を有し、前記ベースシートに対して前記ポケットシートが重合されてポケットが形成され、当該ポケットは、略四角形であり、当該略四角形において互いに一端部が接する第１辺と第２辺とに相当するポケットの端辺にともに開口部が形成され、前記第１辺と対向する第３辺と前記第２辺と対向する第４辺とに相当するポケットの端辺にともに閉部が形成され、前記第４辺相当するポケットの端辺は前記被固着部の近傍に位置する、ファイル。
【０００９】
より具体的には、前記被固着部は、前記ベースシート部の第１方向の略中央に、当該１の方向と直交する第２方向に連続して設けられ、前記被固着部を前記第１方向に挟んで第１ポケットと第２ポケットとが併設され、それぞれの前記第４辺が前記被固着部の近傍に位置するものである。
【００１０】
前記第４辺は、前記ベースシートに対して前記ポケットシートが重合されて両者が略線状に連続して接合されて形成されている。
【００１１】
前記第２辺は、前記ベースシートの第１方向の端部よりも第１方向の略中央寄りに位置している。
【００１２】
さらに、前記第２辺の一部において第１方向の略中央に向けて略半円状に切り欠かれている。
【００１３】
前記ベースシートと前記ポケットシートとがそれぞれ別のシートにより形成されるのであれば、前記第３辺は前記ベースシートと前記ポケットシートとにおいてそれに該当する箇所が接合されて形成されるが、１枚のシートが折り曲げられてその折り曲げ線を介して前記ベースシートと前記ポケットシートとが形成されるのであれば、前記第３辺はその折り曲げ線のみにより形成されていてもよく、さらに当該折り曲げ線の近傍において前記ベースシートと前記ポケットシートとが接合されていてもよい。
【００１４】
前記被固着部は前記第１のポケットの第４辺と前記第２のポケットの第４辺との間に位置するが、さらに、前記被固着部と前記各第４辺との間にそれぞれ前記第２方向に延びる線状に形成されたヒンジ部を有している。特許文献１や特許文献２に記載の発明ではこのような構成は無く、いわば被固着部が第４辺をも兼ねる構成であるため、被収容物が被固着部に極端に近接してポケットに収容された状態でファイルを閉じるのに伴い袋体を屈曲すると、その被収容物の端部も屈曲してしまうが、本発明のように被固着部と第４辺とがそれぞれ形成されるとともにその間にヒンジがあれば、ベースシートの屈曲がポケットに収容された被収容物に対し何ら関与しないため、被収容物が意図せず屈曲してしまう問題が発生しない。さらに、ヒンジを複数設ければ、ポケットに収容された収容物の量が多くポケットの厚みが増した場合にベースシートを屈曲させるためのヒンジの位置を複数の中から選択できるため、確実にファイルを閉じることができる。
【００１５】
前記表紙体と前記ベースシートとはともに合成樹脂材料により形成され、前記固着部と前記被固着部とは溶着により固着されている。
【００１６】
前記固着部と前記ベースシートとが接着剤などを用いて固着されてもよい。さらに、前記固着部に綴じ具を固着し、当該綴じ具に綴じられるための前記被固着部として前記ベースシートに綴じ孔を形成し、ポケット体と表紙体とを綴じ具を介して固着するようにしてもよい。
【００１７】
本発明のファイルのポケットは、そのポケットを形成する略四角形において互いに一端部が接する位置にある第１辺と第２辺とに開口部が形成されているため、当該ポケットに書類などの被収容物を収容したとき、当該被収容物が第１辺や第２辺を通ってポケットから離脱しやすいが、本発明のファイルの表紙体が表表紙と裏表紙とを有するものであれば、ファイルを閉じた状態で表表紙と裏表紙とにおいてポケットの開口部に対応する側辺を閉じるように固定すれば、ポケットに収納された被収容物が開口部を通ってポケットから離脱する経路が塞がれることで被収納物がポケットから離脱することを防ぐことができる
【００１８】
具体的には、表表紙と裏表紙とのうちいずれかに紐状物を設け、ファイルを閉じた状態で当該紐状物がそれぞれの表紙においてポケットの開口部に対応する側辺を跨いで他の表紙の外面に接するように配する。このような構成とすれば、ファイルが開くのを防ぐことの他、被収容物が第１辺や第２辺を通ってポケットから離脱する経路が紐状物により塞がれることになり、これにより被収容物がポケットから離脱することが防がれる。
【００１９】
さらに、表表紙と裏表紙とのそれぞれにおいてポケットの開口部に対応する側辺同士でジッパーを形成してもよい。この構成によれば、ジッパーを閉じることによりファイルの表紙において閉部が追加されることになるため、被収容物がポケットから離脱することが防がれる。
【発明の効果】
【００２０】
本発明に拠れば、ポケットが表紙に固着されたファイルにおいて、被収納物を収納するためにこれをポケットの開口部からこれと対向する位置にある底部に向けて押し込む際の被収納物の移動が略直線方向に規制されず、容易に被収納物をポケットに入れることができるファイルを提供することができる。
【００２１】
さらに、ファイルを閉じた状態で表表紙と裏表紙とにおいてポケットの開口部に対応する側辺を綴じるように固定すれば、ポケットに収納された被収容物が開口部を通ってポケットから離脱する経路が塞がれることで被収納物がポケットから離脱することを防ぐことができるファイルを提供することができる。
【図面の簡単な説明】
【００２２】
【図１】ファイルを開いた状態を示す平面図
【図２】ポケット体を固着していない表紙体を開いた状態を示す正面図
【図３】ポケット体を示す平面図
【図４】ポケット体が１枚のシートにより設けられている場合の展開図
【図５】ファイルの使用状態を示す斜視図
【図６】ファイルを閉じて表紙に紐状物をかけた状態を示す正面図
【発明を実施するための形態】
【００２３】
以下、図面を参照しながら本発明の実施形態を説明する。なお、本明細書において、図１において視認される上下方向を「ファイルの上下方向」とし、同様に視認される左右方向を「ファイルの左右方向」とする。
【００２４】
図１及び図２に示されるファイル１は、表紙体２が表表紙２１と背表紙２２と裏表紙２３とがヒンジ２４を介して連設されて成り、さらに図１に示すように表紙体の一面にポケット体３が溶着などの方法により接合され、さらに表表紙と裏表紙のいずれか一方には紐状物４が設けられているものである。
【００２５】
表紙体２は、表表紙２１、背表紙２２、裏表紙２３のいずれか、好適には背表紙の左右方向中央にポケット体３を固着するための固着部２５を有し、表紙体２とポケット体３とが溶着により固着されるのであれば、溶着により生じた溶着跡である固着部２５が上下方向に連続して配される。なお、図２は、表紙体２とポケット体３とが溶着される前の状態を示す図であるから本来であればここに固着部２５は現出しないが、説明の都合上、固着部２５が現出した状態を示したものである。また、表紙体２とポケット体３とが溶着により固着される方法に限られるものではなく、図２において固着部２５が図示される位置に綴じ具を設け、ポケット体３と表紙体２とを綴じ具を介して固着するようにしてもよい。
【００２６】
ポケット体３は、例えば合成樹脂製のシートにより形成され、ベースシート３１の左右方向略中央に、表紙体２に固着される被固着部３３を有し、さらにベースシート３１に対してポケットシート３２が重合されてその重合された位置にポケット３０が形成される。ポケット３０は、被固着部３３を挟んで左右に１ずつ設けられるのであれば、ともにベースシート３１の一面にポケットシート３２が重合されて形成されてもよいし、図３に示すところの右側のポケット３０はベースシート３１の一面にポケットシート３２が重合されて形成され左側のポケット３０は一面とは反対の面に形成されるように形成されてもよい。図３では、ベースシートの下層に位置して現出しない左側のポケット３０を破線により示した。
【００２７】
図３において右側に設けられたポケット３０を例に、ポケット３０の構成を具体的に説明する。ポケット３０は、四角形であり、その四角形のそれぞれ上辺と右辺とに相当する箇所に開口部を形成し、左辺と下辺に相当する箇所が閉じられている。つまり、ポケット３０は、その周辺長さのおおむね半分の長さに亘ってファイルの外側に向けて開口している。これにより、上辺などの一辺のみが開口した一般的なポケットであればそれに書類等の被収容物を挿入するにあたり被収容物の移動は開口部からそれと対向する位置にある端辺に向けた直線状の方向のみしか許容されないのに対し、ポケット３０では、被収容物５をポケット３０に収納するための被収容物５の移動は、上辺から下辺に向かう直線方向から右辺から左辺に向かう直線方向までの範囲で許容される。
【００２８】
これに加えて、右側のポケット３０の右辺に相当する箇所すなわち右端は、ベースシート３１の右端よりもやや中央に寄った位置にある。これにより、ポケット３０に対して被収容物を挿入するに際し、利用者の手指によりベースシート３１の右端と右側のポケット３０の右端とを離して開口部を開くことなく、被収容物をベースシート３１の右端近傍の上層に載せたのちこれを下層方向へ押し出し乍らポケットシート３２の下層に潜り込ませることが容易となる。さらに、収容された被収容物をポケット３０から取り出す際には、利用者の手指によりベースシート３１を下層方向へ押し出すために切欠部３７が設けられているため、好適である。
【００２９】
ポケット体３は図４に示すように１枚のシートにより形成され、その折曲線３４を介してベースシート３１とポケットシート３２とが隣接する。具体的には、ポケットシート３２がベースシート３１の上層に重なるように折曲線３４で谷折りして、右側のポケット３０の左辺に相当する箇所で、溶着などの方法によりベースシート３１とポケットシート３２とを接合して接合辺３５を形成する。これにより、接合辺３５と折曲線３４とが閉じられたポケット３０が形成される。なお、ポケット３０の下辺に相当する箇所を被収容物の重みに耐えるように補強するため、折り曲げ線３４の近傍をさらに接合して図示しない第２接合辺を形成してもよい。
【００３０】
左側のポケット３０が、ポケットシート３２がベースシート３１の上層に重なるように形成されるのであれば、折曲線３４で谷折りして、左側のポケット３０の右辺に相当する箇所が接合辺３５となり、右側ポケットと同様に接合辺３５と折曲線３４とが閉じられて形成される。また、左側のポケット３０が、ポケットシート３２がベースシート３１の下層に重なるように形成されるのであれば、折曲線３４で山折されて形成されるが、この場合、ベースシートをその左右方向の仮想中心線を基線にして１８０度回転させたら左側ポケット３０は右側ポケット３０となり、その構成は既述の通りなのでここでは省略する。
【００３１】
ここまで、ポケット体３が１枚のシートにより形成される構成について説明したが、本発明はこの構成に限られるものではなく、ベースシート３１とポケットシート３２とがそれぞれ別のシートにより形成され、右側のポケット３０のそれぞれ左辺と下辺とに相当する箇所をそれぞれ接合する構成としてもよい。また、接合の方法は、熱溶着や超音波溶着のほか、接着剤などにより接合してもよい。これらの方法はベースシート３１やポケットシート３２の材質の特徴に応じて選択されるべきものである。
【００３２】
ところで、ポケット体３は、固着部３３の左右それぞれの近傍に、上下方向に亘ってヒンジ３６を有する。これは、ヒンジ２４で表紙体２を折り曲げてファイルを閉じるのに応じてポケット体３を折り曲げるためのものであるが、このヒンジ３６は固着部３３の左右それぞれ１本ずつに限られるものではなく、固着部３３の近傍から左右方向外側に向けて複数設けてもよい。
【００３３】
ポケット３０に被収容物５を収容してファイル１を閉じた状態で、ファイル１の上端もしくは右端を地球の中心に向けたとき、被収容物５が地球の重力に引かれてポケット３０から離脱する、いわゆる‘落ちる’と表される状態が生じることが考えられる。これを防ぐべく、図２および図６に示すように、表表紙２１および裏表紙２３の少なくともいずれかに紐状物４を設けてもよい。例えば表表紙２１に紐状物４を設けた場合、図２の状態において裏表紙２３を表表紙２１に対して相対的に回動して両者が重合するようにファイルを閉じて、紐状物４を伸ばして裏表紙２３の上層に掛けて両者を固定すると、紐状物４は、表表紙２１および裏表紙２３においてポケット３０の開口部である上辺と右辺とにそれぞれ相当する側辺を跨ぐことになり、これにより被収容物５がポケット３０から離脱する経路が塞がれてその離脱を防止することができる。
【００３４】
被収容物５がポケット３０から離脱するのを防止する手段は紐状物４に限られるものではなく、表表紙２１と裏表紙２３とにおいてそれぞれポケット３０の上辺と右辺に対応する端辺に両者を繋ぐ図示しないジッパーを設けてもよい。
【００３５】
以上の通り、本発明に拠れば、ポケット３０は、その周辺長さのおおむね半分の長さに亘って開口しているため、上辺から下辺に向かう直線方向の移動から右辺から左辺に向かう直線方向の移動までの範囲で自由な移動で被収容物５を挿入することができるため、ポケット３０に被収容物５を収納するに際しその動作は非常に自由度が高いうえ、ポケット３０の外端はベースシート３１の外端よりもやや中央に寄った位置にあるため、利用者の手指によりベースシート３１の右端と右側のポケット３０の右端とを離して開口部を開くことなく、被収容物をポケット３０にし挿入することが容易であり、非常に使い勝手の良いものである。
【符号の説明】
【００３６】
１  ファイル
２  表紙体
２１  表表紙
２２  背表紙
２３  裏表紙
２４  ヒンジ（表紙体）
２５  固着部
３  ポケット体
３０  ポケット
３１  ベースシート
３２  ポケットシート
３３  被固着部
３４  折曲線
３５  接合辺
３６  ヒンジ（ポケット体）
３７  切欠部
４  紐状物
５  被収容物
【図１】
2015229310.tif 000003
【図２】
2015229310.tif 000004
【図３】
2015229310.tif 000005
【図４】
2015229310.tif 000006
【図５】
2015229310.tif 000007
【図６】
2015229310.tif 000008